(57)【要約】【課題】本発明は、眼科治療および点眼薬の如き眼科薬に特に適する液体ディスペンサーを開示する。【解決手段】液体ディスペンサーは、キー処方成分として、柔軟な材料から作られたチューブを組み込む。チューブ上の第１の点及び第２の点は、チューブを折りたたむか、外部要素によって作用され、第１の点及び第２の点の間のセグメントを、処方室を囲む絞り出す区分にする。絞り出す区分は、アンビルまたはその他の構造体によって圧縮され、処方室内に含まれる液体に圧力を掛け、チューブが一旦１点を離れると、処方室の液体が排出されるようになる。各処方工程において、単一の処方が排出される。加えて、液体ディスペンサーは、処方工程を繰り返すことによって、液体の連続処方を放出することができる。【選択図】図１ｂ
2014519894.tif 000002
【特許請求の範囲】
【請求項１】
液体を投与するための液体ディスペンサーで、以下を含んでなる：
ディスペンサーケース；
液体の複数の処方を貯蔵するのに適した収納容器；
前記ディスペンサーケースに包囲されたチューブで、前記チューブは、第１の点、第２の点、入口、および出口端を有し、前記入口は、収納容器に配置され、前記出口端は出口オリフィスに接続されており、
前記チューブは、自在な材料で作られ、第１の点及び第２の点の間のチューブのセグメントは、処方室を囲む圧迫する区分で；
作動組立体で、作動した時に圧迫する区分に対して圧縮し、処方室内に囲まれた液体の用量を投薬するようにする。
【請求項２】
請求項１の液体ディスペンサーで、
第１の点は第１の関節接合点で、
第２の点は第２の関節接合点で、
前記チューブは、第１の関節接合点及び第２の関節接合点で折り曲げることができ、第１の関節接合点および第２の関節接合点を通って、液体が流れるのを防止する。
【請求項３】
前記作動組立体は、アンビルを備え、前記アンビルは圧迫する区分に対して押し込まれることができる、請求項１または２の液体ディスペンサー。
【請求項４】
前記作動組立体がプッシュボタンの低部に取付けられた第１のバネを有するプッシュボタンを含んでなる、請求項１〜３の何れかの液体ディスペンサー。
【請求項５】
前記作動組立体がさらにアンビルを備え、前記アンビルは圧迫する区分に対して押し込まれることができる、請求項１〜４の何れかの液体ディスペンサー。
【請求項６】
前記作動組立体がさらに、第１のヒンジ片、および第２のヒンジ片を備え、前記第１のヒンジ片が、圧迫する区分に対して一列に並べられ、前記第２のヒンジ片が第１のバネ部材に取付けられていて、前記アンビルが第２のヒンジ片に取付けられている、請求項１〜５の何れかの液体ディスペンサー。
【請求項７】
前記作動組立体がさらに、拡大部分を有する片持ち（カンチレバー）板開口部を備えた前記プッシュボタンに取付けられた片持ち板；
プッシュ板開口部およびプッシュ板突出し部を有する、プッシュボタンに取付けられたプッシュ板を備えた、請求項１〜６の何れかの液体ディスペンサー。
【請求項８】
第１のヒンジ片が第１の旋回軸によってカンチレバー延長部に接続され、前記カンチレバー延長部は、前記プッシュ板突出し部の下に配置されたトラフ（窪み）を有する、請求項１〜７の何れかの液体ディスペンサー。
【請求項９】
前記プッシュボタンを押すと第２ヒンジ片が第１のバネ部材によって押し込まれ、さらに第２のヒンジ片に取付けられた前記アンビルが、圧迫する区分に対して押し込むようにされる、請求項１〜８の何れかの液体ディスペンサー。
【請求項１０】
前記プッシュボタンを押すと、前記プッシュ板突出し部およびカンチレバー延長部のトラフの間の接触をもたらし、さらに、第２ヒンジ片が第２旋回軸の回転を介して圧迫する区分により近く押し込まれるようにされる、請求項１〜９の何れかの液体ディスペンサー。
【請求項１１】
前記プッシュボタンを押すと第１のバネ部材によって第２のヒンジ片が押し込まれるようにされ、さらに、第２ヒンジ片に取付けられた前記アンビルが、圧迫する区分に対して圧縮するようにされる、請求項１〜１０の何れかの液体ディスペンサー。
【請求項１２】
第２のヒンジ片が第２の旋回軸で第１のヒンジ片に接続され；
第１のヒンジ片および第２のヒンジ片は、片持ち板の上の片持ち板開口部を通過するように配置され、第２の旋回軸は、片持ち板開口部より広いが、拡大部より狭い幅を有する、請求項１〜１１の何れかの液体ディスペンサー。
【請求項１３】
前記プッシュボタンを押すと、第２の旋回軸が片持ち板開口部の拡大部を通過する前に、第１ヒンジ片および片持ち板開口部の第２ヒンジ片の滑りを起こし、第２旋回軸、第２ヒンジ片および第１ヒンジ片の再配置をもたらし、前記チューブの折りたたみが第１の関節点において変化し、処方室内の排出される液体の投与を許容する、請求項１〜１２の何れかの液体ディスペンサー。
【請求項１４】
請求項１〜１３の何れかの液体ディスペンサーが、さらに以下を備える：
第２の旋回軸が片持ち板開口部の拡大部を通過した後で、第２の旋回軸の動作を停止するように配置された第１の停止部材；
第１のヒンジ片に取付けられた板バネ；および
第１のヒンジ板の初期位置を制御するように配置され、第１のヒンジ板が処方室から排出される液体の処方と呼応して回転しているときに、前記板バネに抵抗するように配置された第２の停止部材で、ここにおいて
プッシュボタンを押して、板バネを曲げ、および
板バネおよび第１バネ部材が、第１のヒンジ板および第２のヒンジ板を再配置することができ、その結果、チューブを再配置することができる。
【請求項１５】
第１の点が第１の押点で、第２の点が第２の押点で、前記チューブが第１の押点及び第２の押点で押し込まれることができ、液体が第１の押点及び第２の押点を通って流れるのを妨げる、請求項１の液体ディスペンサー。
【請求項１６】
前記作動組立体が、プッシュボタンを備える請求項１５の液体ディスペンサー。
【請求項１７】
前記作動組立体が、さらに、プッシュボタンの下に配置された押板、前記押板は第２の二重板バネ、頂部のアンビル、傾斜した滑走部、押板接続器、および前記押板接続器に取付けられた押板ブロックを備えた、請求項１５または１６の液体ディスペンサー。
【請求項１８】
前記作動組立体が、さらに、チューブの下に配置されたアンビル板、前記アンビル板が第１の二重板バネを有し、底部アンビル、および接続器を備え、ここで、前記底部アンビルは、第１の押点状のチューブに対して圧縮し、液体が第１の押点を通って流れるのを防ぐ、請求項１５〜１７の何れかの液体ディスペンサー。
【請求項１９】
プッシュボタンを押すと、押板の下向きの動作になり、ここで、
頂部アンビルが第２の押点状のチューブを押し込み、第２の押点を通って液体が流れるのを防ぎ、処方室に囲まれた液体を包囲し、
ディスペンサーケースと接する故に、第２の二重板バネが圧縮され、
前記傾斜滑走部が圧迫する区分を圧縮し、処方室内の液体を圧縮する、請求項１５〜１８の何れかの液体ディスペンサー。
【請求項２０】
前記プッシュボタンを押すと、押板ブロックをアンビル板の接続器と接触するようにし、アンビル板を下向きに動かすと、第１の押点において底部アンビルによってチューブの切り離し（解放）がもたらされ、傾斜滑走部によって受ける圧力によって処方室の液体を排出されるようにする、請求項１５〜１９の何れかの液体ディスペンサー。
【請求項２１】
前記プッシュボタンを押すと、第１の二重板バネおよび第２の二重板バネを圧縮し、
プッシュボタンを離すと、第１の二重板バネおよび第２の二重板バネをリバウンドさせ、アンビル板および押板を再配置する、請求項１５〜２０の何れかの液体ディスペンサー。
【請求項２２】
請求項１５〜２１の何れかの液体ディスペンサーであって、さらに、第１の端部および第２の端部を有するベントチューブを備え、前記第１の端部が、ディスペンサーケース上のベントホールに接続し、第２の端部が収納容器に接続する。
【請求項２３】
請求項１〜２２の何れかの液体ディスペンサーであって、さらに、第１の端部および第２の端部を有するベントチューブを備え、前記第１の端部が、ディスペンサーケース上のベントホールに接続し、第２の端部が収納容器に接続する。
【請求項２４】
前記液体が、眼への投与に適する、医薬品処方、溶液、ジェル、または懸濁物である、請求項１〜２３の何れかの液体ディスペンサー。
【請求項２５】
投与量が１〜１００μｌの容量を有する、請求項１〜２４の何れかの液体ディスペンサー。
【請求項２６】
液体が、粘度を有し、その粘度が０．５ｃＰ〜２０００ｃＰの範囲にある、請求項１〜２５の何れかの液体ディスペンサー。
【請求項２７】
収納容器がディスペンサーケースに取付けられた滴下器ボトルを備え、滴下器ボトルは、複数の液体投与量を含み、チューブの入口端部が、滴下器ボトルに含まれる液体に接続している、請求項１〜２６の何れかの液体ディスペンサー。
【請求項２８】
前記収納容器が、ディスペンサーケースに不可欠の貯槽を備え、前記貯槽は複数の液体処方を含む、請求項２７の液体ディスペンサー。
【請求項２９】
前記収納容器がディスペンサーケースに取付けられた滴下器ボトルを備え、前記滴下器ボトルが液体を貯槽に注入することが可能である、請求項２７または２８の液体ディスペンサー。
【請求項３０】
請求項２７〜２９の何れかの液体ディスペンサーであって、さらに滴下器ボトル絞り機構を備え、前記滴下器ボトル絞り機構が、ディスペンサーケースに取付けられ、貯槽に液体を注入する滴下器ボトルを絞るのに用いられ得る、請求項２７〜２９の何れかの液体ディスペンサー。
【請求項３１】
請求項２７〜３０の何れかの液体ディスペンサーであって、さらに第１の端部および第２の端部を有するベントチューブを備え、前記第１の端部がディスペンサーケース上のベントホールに接続し、前記第２の端部が、滴下器ボトルに接続する。
【請求項３２】
前記収納容器が、貯槽、および貯槽に付属する収縮バッグを備え、前記収縮バッグは、複数の液体処方を含む、請求項１〜２６の何れかの液体ディスペンサー。
【請求項３３】
請求項３２の液体ディスペンサーで、さらに第１の端部および第２の端部を有するベントチューブを備え、前記第１の端部がディスペンサーケース上のベントホールに接続し、前記第２の端部が、貯槽に接続する。
【請求項３４】
前記収納容器が、以下からなる：
ディスペンサーケースに不可欠の貯槽で、前記貯槽は複数の液体処方を含み、
チューブ、入口、容器端部を有するアクセサリー・チューブで、容器端部は、貯槽のヘッド空間に流動的に接続され、前記ヘッド空間は、貯槽に含まれる液体に流動的に接続され、
アクセサリー・チューブの入口端部近くに付属する少なくとも１つの小液滴があり、小液滴は、チューブ内腔とヘッド空間に接続し、
ここで、チューブ内腔およびヘッド空間は空気または不活性ガスで充填され、液体を収納容器から排出すると、小液滴を収納容器端部に向かってチューブ内腔内を動かして取り出し、前記小液滴は、チューブ内腔およびヘッド空間をシールし続ける、
請求項１〜２６の何れかの液体ディスペンサー。
【請求項３５】
前記収納容器が、ディスペンサーケースに不可欠の貯槽を備え、前記貯槽は液体の複数の処方を含み、
ディスペンサーケースの周囲には外部カバーがあり、当該外部カバーおよびディスペンサーケースは、らせん状ベント通路を包囲し、前記らせん状ベント通路は、外側および内側端部を有し、当該内側端部は、貯槽のヘッド空間に流動的に接続し、当該ヘッド空間は、貯槽の液体に流動的に接続し、
らせん状ベント通路に付属する少なくとも１つの小液滴があり、小液滴は、当該ベント通路およびヘッド空間をシールし、
ここで、当該ベント通路およびヘッド空間は、空気または不活性ガスで充填され、
液体を収納容器から排出すると、小液滴を内側端部に向かって小液滴を動かして取り出し、前記小液滴は、前記ベント通路およびヘッド空間をシールし続ける、
請求項１〜２６の液体ディスペンサー。
【請求項３６】
前記収納容器が、ディスペンサーケースに不可欠の貯槽を備え、前記貯槽が、複数の液体処方を含み、ここで、
前記液体ディスペンサーが、基礎を含み、前記基礎がらせん状の溝を有し、前記らせん状の溝は、ベントパス（通気路）、外部端、内部端を有し、前記内部端は、貯槽のヘッド空間に流動的に接続され、前記ヘッド空間は、貯槽内の液体に流動的に接続され、
前記外部端に近接するらせん状通気路に配置される少なくとも１つの小液滴が存在し、当該小液滴は、前記通気路及び前記ヘッド空間をシールし、
ここで、前記通気路およびヘッド空間は、空気または不活性ガスで充填され、収納容器からの液体を排出すると、小液滴が前記内部端に向かって通気路内を移動し、当該小液滴は、前記通気路およびヘッド空間をシールし続ける、
請求項１〜２６の何れかの液体ディスペンサー。
【請求項３７】
さらに、前記液体ディスペンサーの頂部に配置された、延長された覆いを備え、
前記液体ディスペンサーは、出口オリフィスの前部にあるヒトの眼に液体を注入するのに用いられ、
前記延長された覆いは、ヒトの眼がプッシュボタンの圧迫を見るのを妨げる、
請求項１〜３６の何れかの液体ディスペンサー。
【請求項３８】
さらに、前記ディスペンサーケースの頂部に配置されたフリップ（はじき）閉止蓋を備え、ここで、当該フリップ閉止蓋は、上向きまたは下向きに配置されることが可能であり、前記液体ディスペンサーは、出口オリフィスの前部に配置されたヒトの眼に液体を滴下するのに用いられ、
前記フリップ閉止蓋は、上向きのときに、プッシュボタンが圧迫されるのをヒトの眼が見るのを妨げる、請求項１〜３６の何れかの液体ディスペンサー。
【請求項３９】
出口オリフィスから排出された前記液体が、単一の液滴または液滴の集合体を形成し、重力補助の軌跡にしたがう、請求項１〜３８の何れかの液体ディスペンサー。
【請求項４０】
前記出口オリフィスが、水平から１〜３０°の角度で上向きに傾いている、請求項１〜３９の何れかの液体ディスペンサー。
【請求項４１】
前記出口オリフィスが、内部を有し、その内部が先細になっている、請求項１〜４０の何れかの液体ディスペンサー。
【請求項４２】
さらに、照準機構を備え、前記照準機構が液体ディスペンサーの使用者に目標に到達するようにディスペンサーからの液体を排出するのを援助する、請求項１〜４１の何れかの液体ディスペンサー。
【請求項４３】
前記照準機構がディスペンサーケースの頂部に位置する延長された覆いを備え、
延長された覆いに沿って２つの穴または２つの溝穴があり、
前記２つの穴または２つの溝穴は、傾斜していて、前記穴または溝穴が前記出口オリフィスの前に、空間を開けて目標に三角形分割によって指示するように指向され、液体ディスペンサーの使用者に目標に到達するようにディスペンサーからの液体を排出するのを援助する、請求項１〜４２の何れかの液体ディスペンサー。
【請求項４４】
前記照準機構がディスペンサーケースの頂部に位置する延長された覆いを備え、
延長された覆いに沿って２つの穴または２つの溝穴があり、
前記延長された覆いの上に２つの有向光線またはＬＥＤがあり、
前記２つの有向光線またはＬＥＤは傾斜していて、それらが前記出口オリフィスの前に、空間を開けて目標に三角形分割によって指示するように指向され、液体ディスペンサーの使用者に目標に到達するようにディスペンサーからの液体を排出するのを援助する、請求項４２の液体ディスペンサー。
【請求項４５】
前記照準機構がディスペンサーケースの頂部に配置されたフリップ蓋を備え、前記フリップ蓋は単一溝を有する上向きに立ったガードを有し、
前記上向きのガードおよび単一溝は、前記出口オリフィスの前に、空間を開けて目標を指示するように指向され、液体ディスペンサーの使用者に目標に到達するようにディスペンサーからの液体を排出するのを援助する、請求項４２の液体ディスペンサー。
【請求項４６】
さらに、前記ディスペンサーケースに取付けられた延長された出口を備え、前記延長された出口は、出口オリフィスを覆って延ばし、前記液体は前記延長された出口を通って排出される、請求項１〜４５の何れかの液体ディスペンサー。
【請求項４７】
全ての部品が非金属材料から作られる、請求項１〜４６の何れかの液体ディスペンサー。
【発明の詳細な説明】
【技術分野】
【０００１】
本発明は、液体ディスペンサーに関する。より詳しくは、本発明は少量の点眼薬または点耳薬を投与するための小型の滴下用装置に関する。同じディスペンサーデザインは、もっと大量の投与量を送液するためにスケールアップし得る。
【背景技術】
【０００２】
眼科治療のための点眼について記述することは一般によく行われる事項である。結果として、眼科用液剤の投与を補助する装置やデバイスの開発が嘱望されている。さらに、５〜５０マイクロリッターのような少量の液体が送液されることが望ましい。さらに、眼科液体薬剤がヒトの眼への顕著な衝撃を防ぐような、小滴に投与することが望ましい。
【０００３】
液体が適当に送液されるのを確実のするために、幾つものディスペンサーが開発されて来た。しかし乍、これらのディスペンサーの多くは、頻繁な廃棄や、高衝撃デリバリの如き短所を有する。加えて、既存のディスペンサーの幾つかは複雑な構造を有し、精密成形、複雑な組立てを要し、デバイスの製造コストが高い欠点がある。
【０００４】
本発明は、他の装置や機器によってもたらされる問題を解決するために、幾つかのユニークなデザインを採用し、眼科薬が適切に配送されるのを確実にする。
まとめると、他の液体ディスペンサー機器は公知技術で既知であるが、それらの構造は、本発明とは著しく異なる。さらに、他の発明は、ここに本発明によって解決された問題の全てに対処するのに失敗している。本発明の一連の態様は、添付図面に描かれ、以下により詳細に渡って記載される。
【発明の概要】
【０００５】
本発明は、液体を投与するための液体ディスペンサーに関し、ディスペンサーケース；液体の複数処方を保持するのに適した収納容器；ディスペンサーケースに包囲されたチューブ；第１の点、第２の点、入口、および出口端を有するチューブからなり、入口端は収納容器に配置され、出口端は出口オリフィスに接続されて、チューブは柔軟な材料で作られ、第１の点、第２の点間のチューブ区分は、処方室、作動組立体を囲む圧縮区分で、その圧縮区分に対して圧力が作動されると、排出される、処方室に囲まれた液体の処方が起こるようにされる。
【０００６】
液体ディスペンサーは、チューブの単一長さの内容量を初めに充填するために、収納容器から引っぱる。液体はディスペンサーからのその放出の前にチューブに保持される。チューブの内容量は、収納容器からの液体の供給およびディスペンサーの出口オリフィスからの液体の処方の排出のバッファーとして働く。チューブの入口端は、収納容器に含まれた液体を引っぱる。排出された液体は、如何なる液体や流体でもよい。液体は、医薬品処方、溶液、ジェル、または懸濁物であり得る。液体は、眼、耳、またはその他の標的に配送される。ディスペンサーの有限数の操作が求められ、その長さに沿ってチューブに充填される。しかし乍ら、標的に送るためのディスペンサーを出る正確な処方が、収納容器によって瞬時に供給されず、その代わりに、チューブの区分が機械的に隔離されて、圧縮区分を形成し、その結果、その区分が押されたときに、排出される液体の一処方を排出させるようにする。ディスペンサーは、液体の処方が排出されるときに、圧縮区分が再充填されるように設計され、ディスペンサーが同じ処方分だけ、もう１回排出できるようにされる。
【０００７】
本発明において、完全な投薬を確実にするために、求められる操作力は、まずバネまたはその他のディスペンサー内に固有の機械的張力を創造し得る、操作機構を有する作動組立体によって、蓄積される。作動組立体によって作り出された蓄積力は、トリガー機構によって後に解き放たれ、それはまた、排出される処方室に含まれる液体を操る作動組立体の一部として見做される。作動組立体は、プッシュボタンを含み、それを押すと、投与プロセスが始まり、継続する。種々の代替のトリガー機構は、オペレータによって掛けられる付与力下で留まらず、むしろ、プッシュボタンの下向きの動きと呼応して与えられた作動の位置に到達する、トリガー構造の許可の下、解き放たれる。
【０００８】
本発明は、圧縮区分の一連の操作に依存し、圧縮区分は、チューブの第１点と第２点の間にある。そのようなデザインは、分離した処方が一つの単一の液排出として出口オリフィスから分離され得ることを決定する。チューブのセグメントは、第１点及び第２点にあるチューブを圧縮するか、折り曲げる種々の機器の外的適用によって本質的に行き来を遮断され（或いはシャットオフされ）、それによって、処方室を囲む圧縮区分としてのチューブの部分を定義し、その処方室は、液体の少なくとも一つの処方を含む。さらに、圧縮区分上のチューブの外部操作は、処方室内の圧力の増加をもたらす。引き続くシャット―オフ点の１つの解放は、液体が処方室からチューブに沿って移動するのを許容し、そのあとで、出口オリフィスから解放される。
【０００９】
出口オリフィスからの解放に際し、液体の処方の流れは、（表面張力効果の不可欠の結果として−その表面張力は流れを液滴に入り込ませる）空気を介してそれが移動するので、液滴の収集へ向けて液の流れそれ自身を形成する。好ましくは、投与量は約５〜５０マイクロリッターである。全排出（処方）がそれで重力の助けで移動し、もし出口オリフィスが同じレベルになると、出口オリフィスの前部および下に既知の距離で固定位置に到達する。その代替として、出口オリフィスは、水平から１〜３０°の角度（通常１５°）上向きになり、その結果、処方パスの下降アーク（円弧）は、（処方パスは上向きの運動量と重力で作用するから）処方を既知の予知可能の、出口オリフィスに対して水平の位置へ設定距離（通常１，２インチ）で出口オリフィスの前に、そのレベルで持って来る。ディスペンサーは、滴下ボトルの使用に一般的なものとして、ディスペンサーの直下にあるヒトの眼へ、投与量を送るために前向きに傾けられる。
【００１０】
本発明は、液体の投与の僅か数滴に分裂するように制限するのに十分低い流速で放出される液体の投与のために提供される。本発明の第一の目的は、既知の予測可能の軌道をたどるために、実質的に重力によって援助される方法で、点眼のような液体の投与を行なうことである。
種々の目標とする／配列の援助が、空間の位置に向かって出口オリフィスの前に示すように提供され、投与は与えられた操作範囲に到達する。処方は、重力援助円弧に沿って発し、目標とする構造が提供され、それはこの円弧を予測するもので、目標とする構造は、ディスペンサーが、患者の眼の如き目標に処方の投与をうまくいくように正確に指向されるようにする。目標とする構造は、ディスペンサー配列援助がヒトの眼に余りに近いためにシャープな焦点合わせができないために、自己点眼をする人により限定された使用に供される。しかし乍、当該配列援助は、別のヒトの眼に滴下をする人による重要な実用的使用にも供され、例えば、外科医が、患者の眼に滴下するディスペンサーを使用する場合の如きである。
【００１１】
本発明の液体ディスペンサーを作る好ましい方法は、射出成形の手段による。しかし乍ら、本発明の射出成形部品間の危険なシール面はないから、低摩擦係数を達成するプラスチックの非類似の種類の使用は、要件または制限ではない。熱可塑性を含む、広範囲の材料が、したがって用いられ、アクリル樹脂、共重合体、ポリプロピレンン、およびその他の多くのプラスチックの種類が含まれる。
【００１２】
本発明によって開示された液体ディスペンサーは、種々の目的に使用され得る。好ましくは、当該液体ディスペンサーは、点眼薬を投与するために用いられる眼科用ディスペンサーである。にも拘らず、当該液体ディスペンサーは、その他の材料の適用にも使用し得る。例えば、ディスペンサーは、延長ノズル、またはその機器が耳用薬剤や経口ワクチンの滴下の使用を可能にする外部チューブを含む。本件ディスペンサーは、また液体の大量投与のために規模拡大が可能である。
【００１３】
本発明の作動組立体またはポンプヘッドは、そのデザインが変化し、ここに２つの基本的構造が開示される。しかし乍、前記作動組立体の変更は、液体ディスペンサーの他の部品も同様に、中心のコンセプトが同じである限りにおいて本発明の範囲に含まれる。同様に、排出される液体を収めるための収納容器も異なるデザインを有し、幾つかのバリエーションがあり、それには、収納容器がディスペンサーケースに不可欠、または分離し得る場合も含まれる。
【００１４】
液体ディスペンサーは、また液滴を受け入れる人の観点から使用者の操作指を覆い隠すための遮蔽部を含む。このデザインは、患者が点眼を予測して眼を閉じるのを妨げる。
上記特徴は、当該ディスペンサーの交互の配置を構築するために、如何なる組合せにおいても組合せられ得るであろう。
本発明のこれらの特徴は、付帯する明細書及び図面を通してより良く理解されるであろう。
一般的に、本発明は以下の、及びその他の述べられていない所望され、有用な利益と目的を首尾よく参照する。
【００１５】
点眼薬のような眼科用液体を送液するのに用いられる液体ディスペンサーを提供するのを本発明の目的とする。
本発明は、自由に折れ曲がる材料から作られたチューブを用いる液体ディスペンサーを提供するのを目的とする。
本発明は、処方室を囲む圧縮区分を規定するように結合されたチューブの区分を有する液体ディスペンサーを提供するのを目的とする。
本発明は、処方室を圧迫するために圧縮区分に作用する作動組立体を有する液体ディスペンサーを提供するのを目的とする。
本発明は、処方室から液体の処方の排出を許容するトリガー（引き金）機構を含む液体ディスペンサーを提供するのを目的とする。
本発明は、各々の処方プロセスで液体の精密な処方を排出する液体ディスペンサーを提供するのを目的とする。
本発明は、反復する処方プロセスで一連の処方を送液することができる液体ディスペンサーを提供するのを目的とする。
本発明は、軽量で携帯できる液体ディスペンサーを提供するのを目的とする。
本発明の別の目的は、異なる目的に使用可能な液体ディスペンサーを提供することである。
本発明の別の目的は、点耳薬として使用される、液体ディスペンサーを提供することである。
本発明のさらに別の目的は、構造が単純で製造が容易な液体ディスペンサーを提供することである。
本発明のさらにもう１つの目的は、重力によって部分的に決められた軌道に液体の流れを排出する、液体ディスペンサーを提供することである。
本発明のさらにもう１つの目的は、使用時に、人の目、まぶた、まつ毛、および目を取り囲む柔軟組織に接触しない液体ディスペンサーを提供することである。
本発明のさらにもう１つの目的は、使用が容易な液体ディスペンサーを提供することである。
【図面の簡単な説明】
【００１６】
【図１ａ】操作前の位置における液体ディスペンサーの第１の態様における透視図である。
【図１ｂ】操作前の位置における液体ディスペンサーの第１の態様における断面図である。
【図１ｃ】操作前の位置における液体ディスペンサーの第１の態様における前面図である。
【図２ａ】操作の第１段階における液体ディスペンサーの第１の好ましい態様の断面図である。
【図２ｂ】図２ａに示されたようなＢＢ’の観測図を示す。
【図２ｃ】図２ａに示されたようなＣＣ’の観測図を示す。
【図３】操作の第２段階における液体ディスペンサーの第１の好ましい態様の断面図である。
【図４】操作の第３段階−排出段階における液体ディスペンサーの第１の好ましい態様の断面図である。
【図５ａ】操作の第１段階を示すフリップ閉止を含む交互ポンプヘッドデザインを伴なう、本発明の第２の好ましい態様の断面図である。
【図５ｂ】操作の第２段階を示すフリップ閉止を含む交互ポンプヘッドデザインを伴なう、本発明の第２の好ましい態様の断面図である。
【図６ａ】第３段階のポンプ操作が示された、本発明の第２の好ましい態様の断面図である。
【図６ｂ】第４段階のポンプ操作が示された、本発明の第２の好ましい態様の断面図である。
【図７】上向き傾向にある出口オリフィスを伴なう、本発明の第２の好ましい態様の断面図である。
【図８】ディスペンサーに取り付けられた従来の滴下器ボトルを含む液体ディスペンサーの部分断面図である。
【図９】滴下される液体用の外部収納容器として作用する、ノズルを備えた従来型の滴下器ボトルを有する液体ディスペンサーの断面図である。
【図１０】液体ディスペンサー用の一体収納容器の第１のデザインの断面図を示す。
【図１１】折りたためるバッグを用いる液体ディスペンサー用の一体収納容器の第２のデザインの断面図である。
【図１２】液体ディスペンサー用に不可欠の収納容器の第３のデザインの断面図を示し、当該第３のデザインは、液体が排出されるに連れて、一体収納容器内の大気圧の回復を許容する。
【図１３】液体ディスペンサー用の一体収納容器の第４のデザインの断面図を示し、当該第４のデザインは、液体が排出されるに連れて、一体収納容器内の大気圧の回復を許容する。
【図１４】液体ディスペンサー用の一体収納容器の第５のデザインの断面図、および液体が排出されるに連れて、一体収納容器内の大気圧の回復を許容するのを助けるらせん状溝の逆にされた平面図を示す。
【図１５ａ】取外し可能な収納容器を備えたディスペンサーを示す。
【図１５ｂ】取外し可能の収納容器を収容可能のディスペンサーケースを示す。
【図１５ｃ】取外し可能の収納容器を示す。
【図１６ａ】液体ディスペンサーの第１の態様の外輪郭を示す。
【図１６ｂ】液体ディスペンサーのもう１つの態様の外輪郭を示し、滴下される液体用の収納容器として作用する従来型の滴下器ボトルを有する態様を伴なう。
【図１７ａ】滴下器ボトルを圧迫するための第１の再充填アクセサリーの断面図で、そのアクセサリーは、ディスペンサーに液体を注入するために、液体ディスペンサーに装填される。
【図１７ｂ】滴下器ボトルを圧迫するための第１の再充填アクセサリーの部分平面図で、そのアクセサリーは、ディスペンサーに液体を注入するために、液体ディスペンサーに装填される。
【図１７ｃ】滑り板の頂部図を示す。
【図１８ａ】滴下器ボトルを圧迫するための第２の再充填アクセサリーを示し、そのアクセサリーは、ディスペンサーに液体を注入するために、液体ディスペンサーに装填される。再充填アクセサリーは、その非操作位置に示される。
【図１８ｂ】滴下器ボトルを圧迫するための第２の再充填アクセサリーを示し、そのアクセサリーは、ディスペンサーに液体を注入するために、液体ディスペンサーに装填される。再充填アクセサリーは、その操作位置に示される。
【図１９ａ】ディスペンサーに取付けられたオーバーキャップ閉止の断面図を示し、オーバーキャップは取付けられていない。
【図１９ｂ】ディスペンサーに取付けられたオーバーキャップ閉止の断面図を示し、オーバーキャップは取付けられている。
【図２０ａ】排出される液体を目標に定めるための第１目標アクセサリーを、前方から見た図である。
【図２０ｂ】排出される液体を目標に定めるための第１目標アクセサリーを、後方から見た図である。
【図２１】排出される液体を目標に定めるための第２目標アクセサリーを示す。
【発明を実施するための形態】
【００１７】
本発明の好ましい態様が図面を参照して以下に記述される。種々の図面に同一の要素が、可能な限り同じ参照番号で定められる。本発明の態様に詳細に参照される。そのような態様は、本発明の説明の仕方によって提供されるが、それらに限定されない。事実、当業者は本願の明細書を読み、図面を見て、種々の変更やバリエーションが本発明の改革的コンセプトから外れることなく行える旨容認し得る。
【００１８】
図１ａは、液体ディスペンサーの第１の好ましい態様の透視図で、液体ディスペンサー１の一般的な外観を提供する。
【００１９】
図１ｂは、操作前の位置における液体ディスペンサー１の第１の好ましい態様の断面図を示す。図１ｂは、ディスペンサーケース１０、ディスペンサーケース内に所在するチューブ１１、および静止位置におけるプッシュボタン２１を有する液体ディスペンサーを示す。チューブ１１は、内腔（ボア）６６および第２関節点１４を有する。チューブ１１は、また第１関節点１３及び第２関節点１４において折り曲げられる。プッシュボタン２１は、静止位置にあるとき、プッシュボタン２１は、下向きに押されず、チューブ１１は第１関節点１３において十分に折り曲げられず、液体を内腔６６の残部において第１関節点１３を通過するようにさせる。
しかし乍、静止位置において、チューブ１１は十分な角度で第２関節点１４において折り曲げられ、その結果、液体はその点を通過できない。矢印Ａは、プッシュボタン２１が下向きに押されたときに、チューブ１１が、処方過程で関節接合する方向を示す。
【００２０】
液体ディスペンサー１は種々の目的に用いられる。液体ディスペンサーの好ましい使用は、図１ｂに示されるように、目５に点眼薬３を届けることである。液体ディスペンサー１は上部右位置において使用され、液体ディスペンサー１から排出される液体は、重力の助けによって軌道を描く。排出された液体は、如何なる液体でも良い。液体は医薬品処方、溶液、ジェル、または懸濁液でも良い。液体は目、耳、またはその他の標的に届けられる。排出される液体の粘度は、０．５センチポイズ〜２０００センチポイズで、好ましくは０．８〜３０センチポイズである。
【００２１】
液体ディスペンサー１は、それが適切に操作するのを許容する要求に適する、いかなる材料からでも作られ得る。ディスペンサーケース１０は、液体ディスペンサー１のその他の部品を包囲する枠組み筐体を形成し、金属、木、プラスチックスを含み、それらに限定されない材料から作製され、前記プラスチックスには、ポリエチレンテレフタレート（ＰＥＴ）、ポリエチレン（ＰＥ）、高密度ポリエチレン（ＨＤＰＥ）、ポリ塩化ビニール（ＰＶＣ）、ポリ塩化ビニリデン（ＰＶＤＣ）、低密度ポリエチレン（ＬＤＰＥ）、ポリプロピレン（ＰＰ）、ポリスチレン（ＰＳ）、高衝撃性ポリスチレン（ＨＩＰＳ）、およびポリカーボネート（ＰＣ）が含まれるが、それらに限られない。さらに、これらに限られないがポリエチレン或いはそれらプラスチックスとのとある組合わせの如き、防水性コーティングで被覆された、段ボールが含まれる。ディスペンサーケースに好ましい材料は、アクリル樹脂、共重合体、ポリプロピレンおよびその他の殆どのプラスチック樹脂種を含み、それらに限られないプラスチックである。同様に、液体ディスペンサー１の種々の部品は、ディスペンサーケース１０と同じか異なる材料で作られ得る。幾つかの部品は、材料の性質に関する特別の要求を有する。例えば、ばね部材として、材料は、耐久性が優れ、柔軟性があることを要する。そのような部品として、それら要求に合うように特別に選択される。
【００２２】
図１ｃは、液体ディスペンサー１の第１の好ましい態様の前面図である。
【００２３】
図２ａは、第１の操作工程における、液体ディスペンサー１の第１の好ましい態様の断面図である。図２ｂは、図２ａに示したようなＢＢ’断面図である。図２ｃは、図２ａに示した、ＣＣ’断面図である。図２ａは、また第１の好ましい態様の詳細構造を示す働きを有する。図２ａには、チューブ１１を有する本発明の液体ディスペンサー１が示され、そのチューブは好ましくは可撓性で変形し易く、低剛性、好ましくは３０〜７０のショア硬度を有する柔軟な材料で作られる。チューブ１１は、好ましくは逆‘Ｚ’形１２に曲げられる。チューブ１１は、内腔６６、排出液を含む保持タンク２０に流動的に懸濁される液体入口端１９、および液体ディスペンサー１の排出構造を形成する出口オリフィス１８に接続された液体出口端６７を有する。
【００２４】
チューブ１１は、ディスペンサーケース１０に在り、液体ディスペンサー１のキー構造である。チューブ１１は流路として働く内腔６６、保存室、および液体ディスペンサー１用の排出サブデバイス（副次装置）を有する。チューブ１１は好ましくは可撓性があり剛性の低い柔軟性材料から作られる。そのような柔軟性材料には、それに限られないが、ゴム及びプラスチックを含む。図１及び図２ａ、さらに残りの図において、チューブ１１は、部分的に切り取ったか、部分的に閉じた見方から示されている。チューブ１１の内腔６６内に示された暗い（黒い）物質は、移送される液体を示す。
【００２５】
図２ａには、また、ディスペンサーケース内の保持スロット（隙間）６８に設置された滴下器ボトル３４が示され、そのディスペンサーケースは、未だ尚設置されたノズル３９を有する滴下器ボトル３４を示す。滴下器ボトル３４は、保持スロット６８に爪３８で保持され、滴下器ボトル３４のフランジ６１に掛け止めされ、その位置に一旦収められると、ディスペンサーケース１０から外れるのを防ぐ。滴下器ボトル３４および保持タンク２０は、組合せて、収納容器として働き、収納容器は液体ディスペンサー１から排出される液体を提供する。図１から４に示されたデザインで、チューブ１１は、保持タンク２０から直接送液される液体を引き出す。滴下器ボトル３４は、一方で、保持タンク２０にその中身を注入するように圧迫され得、保持タンク２０に再充填するために余分の供給を提供する。
【００２６】
滴下器ボトル３４は、液体ディスペンサー１用に任意の構造を有する。滴下器ボトル３４を有すると、液体ディスペンサー１用の十分な供給を保証する。代替的に、ディスペンサーケース１０は、滴下器ボトル３４またはその他の再充填機構を提供する構造を持たない。図１０から１４に示されるように、液体ディスペンサー１だけが不可欠の収納容器を含む。そのような不可欠の収納容器は、送液される液体を余分に供給することを要しない。同様に、保持タンク２０は、液体ディスペンサー１のデザインから省略され、滴下器ボトル３４または他の取外し可能の容器は、送液される液体の直接源として働く。そのようなデザインは、図９に示される。一般的に、収納容器の構造−送液される液体源は、著しく変化し得る。液体ディスペンサー１用の液体を供給する一般的目的が満足される限り、如何なる特定のデザインも受容される。
【００２７】
図２ａにまた示されるが、チューブ１１は第１関節１３および第２関節１４で折り畳まれ、２つの関節間の圧迫区分６４を規定し、圧迫区分６４は、処方室３３を有し、前記処方室３３は送液される液体を保持する。液体出口端６７と第２関節部１４の間に、排出区分６３がある。
【００２８】
液体ディスペンサー１は、各処方プロセスにおける液体の単一処方を排出するために適している。各処方プロセスにおいて排出される処方は、内腔６６のサイズ、処方室が圧迫される程度、および第１関節１３および第２関節１４の間の距離のファクターによって、それらに限らず変化する。好ましくは、処方は１〜１００マイクロリッターで、好ましい範囲は５〜５０マイクロリッターである。さらに、液体ディスペンサー１は水ポンプのような大きな排出での使用のために、スケールアップされ得る。その場合、処方は１００リットルと等量である。好ましくは、液体ディスペンサー１は各処方プロセスにおいて、液体の単一処方が液体ディスペンサーから排出される。加えて、液体ディスペンサー１は、反復する処方プロセスで液体の一連の処方を送液する能力がある。
【００２９】
好ましくは、出口オリフィス１８は射出成形工程において援助するために、（１〜５°の範囲で）その内腔に緩やかなテーパーを有し、送液される液体の排出が層流を維持するようにされる。その排出速度が遅いので、層流を維持するために出口オリフィスにほんの短い内腔を要し、一般的に内腔に対する長さの比が７：１を受容する。６：１またはそれ以下が有利である。短い長さ対内腔のアスペクト比は、出口オリフィス１８の製造を射出成形し易くする。
【００３０】
図２ａは、プッシュボタン２１およびそのプッシュボタン２１の低い箇所に取付けられるばね部材２４を示す。片持ち（カンチレバー）板１７は、プッシュボタン２１の左低部に取付けられ、下向きに伸びる。同様に、プッシュ板２２がプッシュボタン２１の右低部に取付けられ、同じように下向きに伸びる。第１のばね部材２４は、取付け部２８においてヒンジ板２７に取付けられる。
【００３１】
図２ａは、また第１ヒンジ片２６、及び第２ヒンジ片２７を示し、第１ヒンジ片２６及び第２ヒンジ片２７は、チューブ１１の逆Ｚ形１２を保持し、チューブ１１およびヒンジ片が一体で移動する。第１のヒンジ片２６は処方室３３に対して揃えられ、第２のヒンジ片２７は第１のばね部材２４に取付けられる。図２ａに示したように、第１のヒンジ片２６上に第１のピボット１６があり、第２のピボット１５は、第２のヒンジ片２７上にある。さらに、第２のヒンジ片２７は、それに取付けられるアンビル３１を備える。アンビル３１は、第２のヒンジ片２７で関節接合し得、チューブ１１の圧迫区分６４に圧力を掛け得る。
【００３２】
片持ち板１７およびプッシュ板２２は平らな部品で、図２ｂおよび２ｃに詳しく示される。点ＢおよびＢ’が片持ち板１７の観察のための指示線として働き、図２ｂに示される。同様に点ＣおよびＣ’がプッシュ板２２の観察のための指示線として働き、図２ｃに示される。図２ｂに示されるように、片持ち板１７は、２つの片持ち板サポート３７によって適所に保持され、片持ち板１７は、伸びた矩形の片持ち板開口部３５を有する。片持ち板開口部３５は、伸長矩形の頂部に伸長部３６を有する。図２ｃに示すように、プッシュ板２２は２つのプッシュ板サポート２３によって適所に保持され、プッシュ板２２はプッシュ板開口部５４を有する。
【００３３】
図２ａおよび図２ｂを参照し、チューブ１１、第２のピボット１５および第１のヒンジ片２６は、それらが片持ち板１７において片持ち板開口部３５を通して突出すように位置する。片持ち板１７は、プッシュボタン２１の下側から伸び、垂直に滑ることができる。２つの片持ち板サポート３７は、片持ち板１７によって垂直の動きのパス（経路）を限定する。第２ピボット（旋回軸）１５は、片持ち板開口部３５の幅より大きく、伸長部３６より小さい幅を有する。同様に、第２のヒンジ片２７およびチューブ１１は、図２ａおよび図２ｃに示されたように、プッシュ板２２上のプッシュ板開口部５４を通過する。加えて、プッシュ板２２は、プッシュボタン２１が押され、プッシュサポート２３がプッシュ板２２の垂直の動きを限定するときに下向きに滑ることができる。片持ち板サポート３７およびプッシュ板サポート２３はディスペンサーケース１０に取付けられる。
【００３４】
図２ａに示されるように、プッシュ板２２の底部は、丸形の突出部２９を有する。第１ヒンジ片２６は、ピボット１６に隣接する片持ち板伸長部６２を有し、片持ち板伸長部６２は、プッシュ板２２の丸形の突出し部２９の形状に適合するトラフ（窪み）３０を有する。
【００３５】
チューブ１１の排出区分６３および圧迫区分６４は、ヒンジ片２６及び２７によって保持されるが、ある角度範囲で関節接合し、その結果関節部１３及び１４のチューブ内腔６６が独立に、部分的に開いて―――液がチューブ１１を通って動きまわるのを許容するか、フルに閉止して―――チューブ内腔６６がフルに押さえ付けられ（または閉塞され）、チューブ内腔６６に沿う液体の動きをチューブ内腔６６が止める。
【００３６】
図２ａは開始段階の液体ディスペンサー１を示す。プッシュボタン２１は、下向きに半分押され、第１ばね部材２４は押さえられ、第１ヒンジ片２６および更にチューブ１１への圧力付与の動きの準備をする。この段階で、第１関節１３および第２関節１４におけるチューブ内腔６６は閉止され、圧迫区分６４はフルに圧迫される。
【００３７】
図２ａはまた、患者の視野からプッシュボタン２１を隠すために、ディスペンサーケース１０の頂部の周囲に伸びる、伸長した覆い５５をも示す。液体ディスペンサー１が、医師によって患者の眼に点眼投与するのに用いられるときに（図１参照）、覆い５５は、患者が医師の指の動きを見るのを妨げ得る。医師の指がディスペンサーを操作するのを見えないように、患者は、そのような指の動きに反応して瞬きし、それによって患者の眼に処方の送液が行われるのを妨害するのが抑制される。
【００３８】
図３は、第２操作段階における液体ディスペンサー１の第１の好ましい態様の断面図を示す。図３は、図２ａと同様の要素を本質的に示すが、その要素の殆どは明解にする目的でマークはされていない。特定の要素の詳しいマーキングに関して、図２ａは参照され得る。
【００３９】
図３に示されるのは、プッシュボタン２１、覆い５５、拡大部３６を伴なう片持ち板開口部を有する片持ち板１７、プッシュ板開口部５４および丸形突出し部２９を有するプッシュ板２２、丸形トラフ３０を有するカンチレバー伸長部６２、第１ピボット及び第２ピボットである。加えて、図３はまた、第１の止め部材５０、第２の止め部材６１および板ばね５３をも示す。第１の止め部材５０および第２の止め部材６１はディスペンサーケース１０に取付けられるロッドまたはバーで、ヒンジ片２６，２７の動きを止めるために用いられる。
板ばね５３は、強靭で柔軟な材料、それらに限られないが例えば金属、またはプラスチックのような材料で作られ、第１のヒンジ片２６の回転に抗するために配置される。
【００４０】
図４は、第３操作段階、すなわち排出段階における液体ディスペンサー１の第１の好ましい態様の断面図である。図４は、本質的に図２ａと同じ要素を示すが、要素の殆どは明確化の目的でマークしていない。特定の要素のための詳細なマーキングに関し、図２ａが参照され得る。
【００４１】
図４に示されるのは、プッシュボタン２１、拡大部３６を伴なうカンチレバー開口部３５を有する、片持ち板１７、圧迫区分６４を有するチューブ１１、出口オリフィス１８、第１の関節点１３、第２の関節点１４、丸形突出し部２９を有するプッシュ板２２、丸形トラフ３０を有するカンチレバー伸長部６２、第２ピボット１５及び第１ピボット１６である。加えて、図４はまた、第１の止め部材５０、第２の止め部材６１および板ばね５３をも示す。
【００４２】
図１、２、３および４は一群で液体ディスペンサー１の第１の好ましい態様の処方プロセスを示す。図２ａに示されるように、チューブ１１の第１関節１３および第２関節１４の間の圧迫区分６４が処方室３３を囲み、ここで、処方室３３はプッシュボタン２１が押されたときに設けられ、プッシュボタン２１は取付け箇所２５を介して下向きに第１ばね部材２４を動かす。第１バネ部材２４は取付け箇所２８でヒンジ板２７に取付けられる。第２ピボット１５は、第１関節点１３が、フルにチューブ内腔６６を押さえ、液体の通過を止めるのを許容する。内腔６６は図３及び４において第１関節点１３で閉止され、一方で図１において、チューブ内腔６６は第１関節１３で部分的に開く。
【００４３】
図１ｂに示されるように、残余の部分でチューブ１１は第２関節点１４において押さえられる。図２及び３において、プッシュボタン２１の下向きの動きを伴って、第２ヒンジ片２７がチューブ１１を押して第１関節点１３で関節接合する。さらにアンビル（金床）３１が第２ヒンジ片を伴って動き、図３に示すように、圧迫箇所３２で処方室３３を押し込む。アンビル３１は、第２ヒンジ片２７に不可欠の部品、または第２ヒンジ片２７に近接する取付け部で有り得る。アンビルは、図３に示すように、チューブ内腔が第１及び第２の２つの関節点の両方において閉止される点で、第１及び第２の関節１３，１４が折り畳まれるときに、圧迫箇所３２においてチューブ１１の外壁を変形させる。圧迫箇所３２における圧迫区分６４の圧縮（図３の矢印Ｄで示された）は、処方室３３の内圧を高める。
【００４４】
第１ばね部材２４は第１ヒンジ片２６に関し第２ヒンジ片の結合を操作し、ヒンジ片２６，２７間の固定された角度関係はプッシュボタン２１の下向き動作の残りの間に、ヒンジ１５へ掛けられた角度歪によって維持される。丸形の突出し部２９は、丸形のトラフ３０に接触するようにされ、図３に示すようにカンチレバー伸長部６２をたわませ、こうしてピボット１６の周囲の第１ヒンジ片２６にトルクを与える。このトルクは、片持ち板１７によって抵抗され、片持ち板開口部３５を通過するにはピボット１５の外面端部が長すぎる故に、ヒンジ片２７の結合を妨げる。
【００４５】
図３，４を参照すると、プッシュボタン２１は下方にさらに移動し、それに伴って、片持ち板１７とプッシュ板２２もまたピボット１５が拡大箇所３６に到達するまで下向きに移動し−そこでピボット１５は片持ち板１７を止め５０の方向に通過し得−たわんだ片持ち板伸長部６２によってヒンジ片２６に既に掛けられたたわみ動作の下に作用する。図４に示されるようこの自由度は、ヒンジ片２６，２７がポンプの排出操作をするのを可能にする。上向きの弧を描いて振れる（図４の矢印Ｅで示されるように）、ヒンジ片２６，２７およびチューブ１１の組立のように、第２関節１４はピボット１６の周囲のヒンジ片２６及び２７の回転によって開く。これは、圧力をかけられた液が処方室３３から排出区分６３および出口オリフィス１８を介して逃げるのを許容する。この関節結合の間、ヒンジ片２６及び２７は互いに対して固定された角度関係を維持し、その間、第２ピボット１５は、第１の止め部材５０に対して上向きに揺れ動く。ヒンジ板２６，２７がこのように上向きに揺れ動くのと同時に、板ばね５３は第２止め部材６１に対してたわみ、それによって第２ヒンジ片２７のさらなる回転に対する抵抗の増大をもたらす。
【００４６】
一旦排出が完遂し、プッシュボタン２１に掛かる力が取り除かれると、排気板ばね５３は片持ち板開口部３５の拡張部３６を介してピボット１５の動きを反転させ、カンチレバー伸長部６２は第２ヒンジ片をその余の位置に戻す。第１バネ部材に保持された圧縮は、図１に示すようにその後、その余の位置にプッシュボタン２１を戻すのを可能にする。
【００４７】
図５ａおよび５ｂは本発明の第２の好ましい態様の断面図を示す。第２の好ましい態様は、第１の好ましい態様と類似する要素を共有し、ディスペンサーケース１０およびそれに囲まれたチューブ１１を有するが如くである。しかし乍、チューブ１１の配置、および相応に、作動組立体（ポンプヘッド）のデザインは、第１の好ましい態様とは異なる。図５ａおよび５ｂに示されたのは、代替のポンプヘッドデザインおよびフリップ（はじき）閉止／指ガードを伴なう第２の好ましい態様を示す。ポンプ操作の初めの２つの段階は、図５ａおよび５ｂに、それぞれ示される。
【００４８】
図５ａおよび５ｂに示されるのは、内腔６６を持つチューブ１１で、そのチューブ１１は好ましくはプラスチックやゴムのような柔軟な材料で作られ、保持タンク２０（図５ａおよび５ｂに示さず）に懸架された液体入口端１９（図示せず）を有し、保持タンクは送液される液体、および出口オリフィス１８に接続された液体出口端６７を含み、液体ディスペンサー１の排出端を構成する。第２の好ましい態様のチューブ１１は、横断面３０２を有する。
【００４９】
図５ａおよび５ｂは、またフリップ閉止７９を示し、それはディスペンサーの開閉に用いられる。フリップ閉止７９の直立したスタンスは、ディスペンサーの開放位置に相当し、一方でフリップ閉止７９の下向きスタンスはディスペンサーの閉塞位置を示す。加えて、フリップ閉止７９は、その直立スタンスにおいて、患者の、第１の好ましい態様における伸長覆い５５と同じ目的を有するプッシュボタン２１の視野を遮蔽する。さらに、フリップ閉止７９はディスペンサーからの排出目的を助ける追加の構造を有し得る（図２１にそのようなデザインの詳細を示す）。フリップ閉止は点８０にてディスペンサーケース内を旋回し得る。その直立スタンスにおいて、フリップ閉止７９は、上位廻り止め８１によって保持される。ディスペンサーを閉塞するために、フリップ閉止７９は下位廻り止め８９によって保持されるまで、矢印Ｆの方向に回転する。
【００５０】
図５ａおよび５ｂに示されるように、第２の好ましい態様の１つの新たな要素はアンビル板８２で、分かり易くするために図５ｂに分離して描かれている。アンビル板８２は、第１の二重板ばね８４の上に在るボトム・アンビル８３を備え、上向きに突き出し、そしてサイド分枝部８５はボトム・アンビル８３に平行にあり、サイド分枝部８５はアンビル板８２に垂直に接続されている。アンビル板８２は、チューブ１１の排出区分６３の下に位置する。第１の二重板ばね８４は、２つの端部が下向きになった曲片を有する。
【００５１】
図５ａにはまた、押込み板７２が示され、それは分かり易いように図５に示される。押込み板７２は、第２の二重板ばね７３、トップアンビル７５、傾斜したシュー（輪止め）７４、押込み板脚７６、押込み板コネクター９７、および押込み板ブロック７７を備える。押込み板７２はプッシュボタン２１の下に配置され、チューブ１１にプッシュボタン２１から掛かる力を移転する構造として用いられる。押込み板脚部７６は、図５に示されるように、押込み板７２の左側に配置され、下向きに伸びる。一方で、トップアンビル７５は押込み板７２の右側に配置される。押込み板ブロック７７は押込み板脚部７６に取り付けられる。第２の二重板ばね７３は上向きに配置されるニ端部を伴なう曲線構造である。
【００５２】
本態様におけるチューブ１１は、トップアンビル７５、ボトムアンビル８３、および傾斜したシュー（輪止め）７４によって配列したパターンで作用を受ける。図５に示されるように、液体はチューブ１１に沿って出口オリフィス１８に向かって移動するから、出口オリフィス１８から全ての空気が排出される点に向かってチューブ内の空気を追い出し、液体のみがオリフィスから噴出する。トップアンビル７５とボトムアンビル８３は選択的に、ディスペンサーケース１０内で動く、プッシュボタン２１の下向きの動きと協奏してチューブの外側を押さえ、チューブ１１を変形させて、その結果、液体の流れを開放するか、閉塞する。その余の位置において、図５ａに示されるように、ボトムアンビル８３は第１の押込み点９０に対して押込み、チューブ１１の液体が第１の押込み点９０を通過することを妨げる。トップアンビル７５は、図５ａに示されるように、その余の位置でチューブ１１に対して押し込まれない。プッシュボタン２１が押されると、図５ｂに示されるように、トップアンビル７５が下向きに動き、チューブ１１の第２の押込み点８７に対して押される。第１の押込み点９０と第２の押込み点８７は、第１の好ましい態様の圧迫区分３０２および処方室３３の圧迫と同じように（図２ａ参照）、処方室８８を囲む圧迫区分３０２を規定する。下向きの動きに伴って、押込み板７２上の第２の二重板ばね７３は、第２の二重板ばねの接点８６におけるディスペンサーケース１０の内側箇所に嵌合する。
【００５３】
図５ｂに示されるように、ベントチューブ９３は、またディスペンサーケース１０内に在る。ベントチューブ９３は第１端でベントホール９２に接続される。ベントチューブ９３の第２端は、図８及び１１に示されるように、保持タンクの如き収納容器内に配置される。ベントチューブ９３およびベントホール９２は、収納容器内の圧力損失をなくすために空気流れ構造を提供する。ベントチューブは任意の構造である。その他のデザインは、収納容器の圧力をバランスする機能のために、それ（ベントチューブ）を代替又は補足する。
【００５４】
図６ａは本発明の第２の好ましい態様の断面図を表し、ディスペンサー操作の第３段階が併せて示される。図６ｂは段階４が排出段階であることを示す。明確化のために、図６ａおよび６ｂにおいていくつかの要素はマーク（符号を付）されていない。そのような要素の符号省略は図５ａおよび５ｂ、その余の関連図において見られる。図６ａに示されたように、プッシュボタン２１がさらに押し込まれるときに、傾斜したシュー７４はチューブ１１の外側を押し始め、圧迫区分３０２、トップアンビル７５およびボトムアンビル８３の間にある処方室８８を変形させ、処方室８８に包囲された液体を圧縮する。傾斜したシュー７４の押し込まれた表面は傾斜し、第２の圧縮箇所８７により近い圧迫区分３０２の部分は第１の圧縮箇所９０の前に傾斜シュー７４に接触するようになる。そのようなデザインは、傾斜シュー７４が第１の圧縮箇所９０に向かって処方室８８内の液体を押し出すのを許容し、その圧縮箇所は出口オリフィス９５に近く、排出プロセスを促進する。
【００５５】
それと同時に、押込み板コネクター９７はたわみ始め、傾斜シュー７４のさらなる動きを許容する。図６、段階３及び４に示されるように、傾斜シュー７４は、トップアンビル７５およびボトムアンビル８３が両方共それぞれの点９０および８７におけるチューブ１１の内腔６６を閉止するときにのみ、チューブ11を変形させることが許容される。
【００５６】
図５ａ、５ｂ及び図６ｂに示されるように、プッシュボタン２１をさらに下向きに押し下げると、接触点９９において押込み板ブロック７７とサイド分枝部８５間の接触をもたらす。押込み板ブロック７７は押込み板脚部７６に固定されるから、押込み板７２の下向きの動きは押込み板ブロック７７を下方に動かし、それはサイド分枝部８５を押込み、全体としてアンビル板８２を押し下げる。結果的に、ボトムアンビル８３は押込み板７２上の押込み板ブロック７７を押すことによって押し下げられ、第１の押込み箇所９０におけるチューブ１１の規制を開放し、処方室８８に含まれる液体は、図６ｂのジェット流１０１として示されるように、出口オリフィス１８を通って加圧下、自由に逃避できるようにされる。押込み板７２の押込み板脚部７６上の押込み板ブロック７７のアンビル板８２上のサイド分岐部８５との嵌合は、第１の二重板ばね８４を止め板１００に無理やり押し付け、こうして第１の二重板ばね８４をたわませる。図６ａｂに示されるように、排出段階において、押込み板コネクター９７、第１の二重板ばね８４、第２二重板ばね７３、および傾斜シュー７４は、全て曲げられ、及び／または圧縮される。そのような曲げ応力は液体ディスペンサー１の種々の部品をそれらの安静位に戻すように全て働き、一旦操作力がプッシュボタン２１から解除され、他方でその後曲げられるか、圧縮された部品はそれらの無応力（無歪）の状態に復帰される。
【００５７】
図７は本発明の第２の好ましい態様の断面図を示し、出口オリフィス１０２が上向き傾斜にあり、操作ボタン２１用の代替取付け部品を伴なう。図１ｂを参照すると、出口オリフィス１８から排出されたあと、液滴３は突き出した経路を取り、患者の眼５に供給する。出口オリフィス１８が水平にされるとき、液滴３の軌道は重力のために出口オリフィス１８より低く進む傾向にある。図７にしめされるように、出口オリフィス１０２は水平面から角度Ｇで上向き傾向にされ、液体ディスペンサー１から放射される液滴３に与える重力の効果を補償する。
【００５８】
図７に示されるのは、プッシュボタン２１をディスペンサーケース１０に取付けた可撓性のダイアフラム（隔膜）１０３である。図１−６に示された態様において、プッシュボタン２１はディスペンサーケース１０に直に物理的に接続されていない。可撓性のダイアフラム１０３を用いると、プッシュボタン２１がディスペンサーケース１０に接続され、ディスペンサーケースとプッシュボタン２１の接触からもたらされる締め付けを除去または回避する。さらに、可撓性のダイアフラム１０３を用いると、シールを形成し、液体ディスペンサー１の内部への汚染物質の混入を防ぐ。
【００５９】
液体ディスペンサー１は送液プロセスを促進し、制御と便宜を改善し、そして異なる目的のニーズにも適合する取付け部品及びアクセサリーを含み得る。図８〜２１は、液体ディスペンサー１の使用を改善し得る異なるデザインを描く。いくつかの構造が第１の好ましい態様を伴って示され、一方で、その余の幾つかは第２の好ましい態様を伴って示される。図８〜２１に示された特徴はいずれの態様にも使用できる。
【００６０】
図２ａ，２ｂ，２ｃの記載に指摘されるように、滴下器ボトル３４および保持タンク２０は組合せて送液される液体用の収納容器として作用し得る。加えて、収納容器の特定のデザインは変化し得る。図８は、ディスペンサーに取付けられた従来の滴下器ボトル３４を有する液体ディスペンサー１の断面図を示し、従来型の滴下器ボトル３４は保持タンク２０と一緒に送液される液体用の収納容器として働く。
【００６１】
図８に示されるように、従来型の滴下器ボトル３４の設置を許容する保持スロット６８がある。滴下器ボトル３４は液体を含み、滴下器ボトル３４の後の外れを防止すべく保持スロット６８にねじ止めか、はめ込みされる。滴下器ボトル３４の脱離はディスペンサーのための殺菌が、１つ以上の滴下器ボトルに用いられた場合に起こりうる長期間に渡って維持されないから、不利である。滴下器ボトル３４の脱離は、滴下器ボトルフランジ６１に嵌め込まれる１つ以上の留め金３８によって防ぐことができる。このデザインの滴下器ボトル３４はまず滴下器ボトル３４から脱離されたノズルとディスペンサーが接続される。これは、図１に示された設置とは異なり、ノズルがディスペンサーへの設置前に滴下器ボトル３４から脱離されない。図８において、滴下器ボトル３４は液抜き穴１１７を除いてシールされる。
【００６２】
図８に示されるように、このデザインはある容量の液を蓄え得る保持タンク２０を表し、その容量は、液体ディスペンサー１のサイズによって変化し得る。一般的に、容量は従来型の滴下器ボトルのフル内容量−約３０ｍｌまでである。好ましくは３ｍｌ〜１５ｍｌの容量範囲の滴下器ボトルが用いられる。保持タンク２０は、透明または半透明の覗き窓１１０を含み、タンク内に保持された液量が外側からはっきりと見える。滴下器ボトル３４の全量を保持タンク２０に移すことは可能であるが、ディスペンサーは保持タンク２０の部分充填のみで操作され得る。滴下器ボトル３４の容量の完全移送は、したがって液抜き穴１１７を介する段階で完遂される。
【００６３】
図９は従来の滴下器ボトル３４を伴なう液体ディスペンサー１の断面図を示し、そのノズル（図示せず）及び外側キャップ３９で完成し、移送される液体の外部収納容器として働く。ここでは保持タンクは存在せず。滴下器ボトル３４は液体のソース（源）として直接用いられる。このデザインは、液体ディスペンサー１へ滴下器ボトル３４を設置するための代替する方法である。本態様は、区画室１２４内にある滴下器ボトル３４を有し、その結果、滴下器ボトル３４の底部がバルクヘッド（隔壁）１２１から突き出した中空の大釘（スパイク）１２３によって穿孔される。バルクヘッド１２１はチューブ１１を収容し、ヒンジ片、プッシュボタン、押込み板、および片持ち板を含むポンプ機構に液体を送る。このデザインでは収納容器への排出は、ネジを緩め、滴下器ボトル３４の外蓋３９を緩めることによって完遂される。使用後、外蓋３９は空気の混入から保護するために閉蓋される。
【００６４】
図１０は、液体ディスペンサー用に不可欠の収納容器の第１のデザインの断面図を示す。不可欠の収納容器はディスペンサーケース１０の除去不能の部品で、滴下器ボトルのようにそれに取り付けられた再充填機構を好ましくは具備しない。図１０〜１４は、不可欠の収納容器１２５を組み入れるいくつかのデザインを図解する。図１０は、収納容器１２５を示し、それは、チューブ１１の入口端１９を介して液体１２７でポンプヘッドに供給する。ここで、収納容器１２５のデザインは、好ましくは図１〜４に示されたポンプ機構に用いられる。しかし乍ら、このデザインは、もしベントチューブ９３が加えられ収納容器１２５に伸びると、図５及び６に示された態様に用いられ得る。
【００６５】
図１１は、排出される液体用に不可欠の収納容器の第２のデザインの断面図を示し、それは排出される液体を保持する折畳みできるバッグ１３１を組入れる。折畳みできるバッグ１３１は、区画室１３０内に囲まれ、チューブ１１に接続される。折りたたみ可能のバッグ１３１は、好ましくは、空気や液体を透過させない材料で出来ている。収納容器のデザインは、折りたたみ可能のバッグ１３１の不透過故に、大気中のコンタミの心配が排除されるので、液体がディスペンサーに用いられる防腐剤を含まないことを可能にする。図１１はまた、収納容器端部１３３を有する（図５及び６に示されたように）ベントチューブ９３を示す。折り畳み式バッグ１３１は液体をポンプ機構にフィードするので、空気がベントチューブ９３を介して収納容器端１３３から区画室に入り、折り畳み式バッグ１３１の周囲の空気圧の低下を妨げる。
【００６６】
図１２は、液体ディスペンサー用に不可欠の収納容器の第３のデザインの断面図を示し、第３のデザインは、液体が排出されるにつれて、不可欠の収納容器内の空気圧の復旧を許容する。図１２に示されるのは、上部の区画室１４１に囲まれたチューブ溝１４５を有する飾りチューブ１４２を利用する伸びたベント通路である。飾りチューブ１４２は、チューブ溝１４５の入口端１４３に１つかそれ以上の液体の小ビーズを組み込む。飾りチューブ１４２のチューブ溝１４５は、排出される液体１４８の上部のヘッド空間の収納容器端１４４で終了し、液体ビーズ１４７が通る連続通路を形成する。液体１４８はチューブ１１を介してディスペンサーから送液されるので、ヘッド空間１４０とチューブ溝１４５に部分真空が作られ、それが収納容器端部１４４に向かってチューブ溝１４５に沿って液体ビーズ１４７を引っ張る。これらの液体のビーズ１４７は、障害として働くことによって、液体１４８への大気からの夾雑物の通路を防ぎ、防腐剤がなくても液体１４８が送液されるのを可能にする。ヘッド空間１４０およびチューブ溝１４５は、空気、窒素、またはその他の不活性ガスを含み得る。飾りチューブ１４２は、その長さを増やすために、上部区画室１４１内に好ましくは螺旋状に収納され、液体の小ビーズ１４７の前で著しい容積の送液される液体１４８がヘッド空間１４０に進入する。
【００６７】
図１３は、液体ディスペンサー１用に不可欠の収納容器の第４のデザインの断面図を示し、第４のデザインは、液体が送液されるにつれて不可欠の収納容器内の大気圧への復旧を許容する。図１３を参照して螺旋状のベント配置が示され、それはディスペンサーケース１０および外側カバー１５１の周辺の周囲を走る螺旋状スロット１５２を含み、組み立てるときに、２つの部品が包囲された螺旋状のベント通路１５０を規定するようにされる。螺旋状ベント通路１５０は、外端部１５３および内端部１５４を有し、当該内端部１５４は、肘部（エルボー）１５６の手段によって液体１５８上のヘッド空間１５７に接続される。当該ヘッド空間１５７、エリボー１５６および螺旋状ベント通路１５０は空気、窒素、またはその他の幾らかの不活性ガスの何れかを含む。螺旋状ベント通路１５０の外側端部１５３に極めて接近して、１つかそれ以上の液体の小ビーズ１５５が添加され、それは螺旋状ベント内のガスがディスペンサーの外側の環境空気と接することから隔離する。液体１５８はその上に搭載されたポンプへチューブ１１を介して収納容器から引張られるから（図１３には示されず）、液体のビードまたはビーズ１５５は螺旋状ベント通路に沿って、捕捉された空気、窒素、またはその他の不活性ガスを介して引張られ、ヘッド空間１５７、エルボー１５６およびベント通路１５０内の真空の形成を妨げる。チューブは、不透過を保証するために螺旋状ベント通路１５０に組入れられる。
【００６８】
図１４の左には、液体ディスペンサー用に不可欠の収納容器の第５のデザインの断面図を示した。図１４の右は、螺旋状溝１６３の逆平面図を示す。点ＰおよびＰ’は断面図の指示線として働く。図１４に示されたものは図１３に示されたものと類似する。図１４において、ベント通路はディスペンサーケース１０のベースに配置された螺旋溝１６３として配置され、そのベースは封止板１６７によって覆われる。螺旋溝１６３の一端は、封止板１６７を突き抜ける穴１６４と一致する。螺旋溝１６３の内側は、直立したパイプ１６５で止まり、それは封止板１６７に直立したパイプ１６５の溝と螺旋溝１６３が連続ベント通路を形成するように取付けられ、そのベント通路は、内部収納容器内の液体１６１の上のヘッド空間１６３内のパイプ１６５の頂部で終わる。螺旋溝１６３、直立パイプ１６５および送液される液体の上部のヘッド空間１６０は空気、窒素または他の不活性ガスが充填される。そのような気体は、液体１６１が排出されたときに、ヘッド空間１６０内の大気圧を復旧するために供される。穴１６４の近傍の螺旋溝１６３には液体の小ビードまたはビーズ１６６がある。液体の小ビードまたはビーズ１６６は、螺旋状溝の１６３内の不活性ガスを捕捉し、外部の空気から不活性ガスを分離する。液体のビーズ１６６は、チューブ１１を介してディスペンサーによって排出される液体１６１と協力して螺旋状溝１６３に沿って引張られる。
【００６９】
図１３及び１４において、螺旋状ベント通路１５０および螺旋状溝１６３の内面は、彫り込まれるか、液体のビードまたはビーズが、液体が収納容器からなくなることを示すマーキングに対して指示器として働くように、収納容器の内容物を示す他のマーキングを有する。そのようなマーキングは、ディスペンサーに蓄えられた液体の残量を示すために用いられる。
【００７０】
図１５ａ、１５ｂおよび１５ｃは、ポンプ機構の幾つかの部品を組込んだ除去可能の収納容器を示す。図１５ａ、１５ｂおよび１５ｃに示されたデザインは、描かれたようにポンプ機構の第２の好ましい態様を使用する。ここで、液体ディスペンサー１はディスペンサー外側ケース１７０および機能ユニット１７３に分けられる。図１５ａは、組立形体の液体ディスペンサー１を表す。図１５ｂは、ディスペンサー外側ケース１７０で、一部が前面図、一部が断面図である。図１５ｃは、機能ユニット１７３を表す。矢印Ｋは、機能ユニット１７３がどのようにディスペンサー外側ケース１７０に挿入されるかを示す。図１５ｂに示されるのは、接続接触面（インターフェイス）１７１である。図１５ｃに示されるのは、マガジン（着脱式ケース）１７２を有する機能ユニット１７３である。機能ユニット１７３は、マガジン１７２が接続接触面１７１内に滑るように接続されたディスペンサー外側ケース１７０へ滑るように動く。
【００７１】
図１６ａおよび１６ｂは、液体ディスペンサーの２つの態様の外側の輪郭を示す。図１６ａに示されるのは、ディスペンサーケース２００の基本的な外側形体であり、送液される液体は、不可欠の収納容器に囲まれる。代わりに、図１６ｂに示したように、従来型の滴下器ボトル２０２は逆さであり得、ディスペンサーケース２０１の頂部に配置され、送液される液体を供給する。
【００７２】
図１７ａ，１７ｂ及び１７ｃは、滴下器ボトル３４を圧迫する為に用いられる、第１の再充填アクセサリーを示し、保持タンク２０に注ぎ入れる為に、それは液体ディスペンサー内に荷重がかけられる。図１７ａは、滑り板２１３の断面図で、図１７ｃは、滑り板２１３の上面図で、小開口部２１６に接続する拡大開口部２１５を有する。拡大開口部２１５は、滴下器ボトル３４の直径よりも僅かに大きく、小開口部２１６は、ボトル径より小さい。滑り板２１３が挿入されるトラック（航跡）２１２がある。図１７ｂは、滑り板２１３が滴下器ボトル３４を取囲むときのディスペンサーの上面斜視図である。拡大開口部２１５は、初めにディスペンサーにボトル３４が拡大開口部２１５へ挿入されるように並べられ、滑り板２１３はトラック２１２へ滑りによってディスペンサーを挿入させる。一旦そのように挿入されると、滑り板２１３は滑り板２１３に取付けられた板２１４によって矢印Ｌの方向にトラック２１２に沿って内向きに押され、こうして滴下器ボトル３４を小開口部２１６に従うように強要する。滴下器ボトル３４の操作は、保持タンク２０へ液体を送液させる。
【００７３】
図１８ａ及び１８ｂは、ディスペンサーへ液体を注入するために、液体ディスペンサーにある滴下器ボトル３４を圧迫するための第２の再充填アクセサリーを示す。このデザインでは、図１８ａに示されたようにレベラー２２２に結合された位置におけるカム２２１が、ディスペンサーに滴下器ボトル３４が挿入されるのを許容する上昇位置に保持される。第１の位置において、滴下器ボトル３４は圧迫されない。レベラー２２２の回転に伴い、矢印Ｍの方向に、カム２２３は図１８ｂに示された位置に回転し、滴下器ボトル３４の外側を圧迫し−こうして、保持タンク２０へ液体が注入される。
【００７４】
図１９ａ及び１９ｂは、ディスペンサーに取付けられたオーバーキャップ閉止機構の断面図である。図１９に示されたように、キャップ２３６は拡大出口２３５にスクリュウまたはスナップ止めされる。拡大出口２３５は、（図１９に示されたように）スナップ、またはスクリュウ止めされる。そのようなノズル延長は点耳薬用に用いられる。図１９ａに示されるように、キャップ２３６は、可撓性タイ（ヒモ）２３７の手段によってディスペンサーに保持され、そのタイは、キャップ２３６が拡大出口２３５に固定されるのを許容するように矢印Ｎの方向へ折り曲げる。キャップ２３６は、拡大出口２３５にスナップ止めまたはスクリュウ止めされる。キャップ２３６、またはその他の如何なる代替デザインも液体ディスペンサーの内部が汚染物質の進入によって汚染されるのを防ぐ。異なる出口デザインは異なる目的に用いられる。１つは眼科用に形成され、別のものは（図１９ａ及び１９ｂに示されるように）耳用、鼻用、またはその他の用途の使用に伸びたチューブ状で有り得る。
【００７５】
図２０ａ、２０ｂは、眼の如き目標に液体を送液することを目標とする第１の標的アクセサリーを示す。図２０ａは、出口オリフィス２４０の前面図であり、図２０ｂは、プッシュボタ２１を表す部分背面図及び部分背面上部斜視図である。明確化のために、図２０ａに示されるように、穴２４２が拡大覆い５５の一方の側に、スロット（溝）２４１がその他方の側にある。しかし乍、好ましくは拡大覆い５５上には、１対の穴２４２または１対のスロット２４１があるはずである。それらの穴２４２とスロット２４１は、２個の穴と２個のスロットが、ディスペンサーが排出する処方の軌跡と一致する出口オリフィス２４０の前の空間の位置に三角形を描く点を指向するように、角度をなす。代替に、ピエゾ電子線のペア（ＬＥＤの如き−図２０ａ、２０ｂには示さず）は穴２４２またはスロット２４１の代わりに提供される。光線はプッシュボタン２１を押すことによって引金が引かれ、出口オリフィス２４０の前に所定の距離で処方の位置の同じ三角網を提供する。
【００７６】
図２１は、眼の如き目標に液体を送液するための第２の標的アクセサリーを示す。真ん中のパネルは図５ａ及び５ｂに示されたようなフリップ閉止７９を有するディスペンサーの側面図である。フリップ閉止７９は、ディスペンサーケースの頂部および前部に配置され、直立ガード２４８の中間にある単一溝２４５を持つ直立ガード２４８を有する。黒い線２４６は、図２１の底部パネルに示されるように、配列の更なる助けとして溝２４５の基礎（ベース）に加えられる。底部パネルは、中間パネルの矢印Ｓで示されたような方向からのディスペンサーの上面図である。底部パネルは、プッシュボタン２１及び直立ガード２４８を描く。単一溝２４５は、三角形の１軸を定義するように指向され、出口オリフィスからの固定距離Ｒは、図２１の中間パネルに示されるように、出口オリフィス１８から固定距離Ｒで軸２４３が眼を横切る（または交差する）ように、三角形の第２の点を定義する。図２１の頂部パネルは、頂部パネルの矢印Ｑからの観測図である。ディスペンサーの使用者は、頂部パネルに示された視野から眺め、目標に液体を排出する標的を定める。
【００７７】
本発明は、所定の特定性の程度で記載されるが、現在の開示は単に例示であって、部品の詳細の構築と配置に於ける数々の変更がしばしば行われ得る。
【産業上の利用可能性】
【００７８】
本発明に係る液体ディスペンサーは、少量の点眼薬、点耳薬または点鼻薬を投与するための小型の滴下器用の液体ディスペンサーに応用できる。
【符号の説明】
【００７９】
１      液体ディスペンサー
１０      ディスペンサーケース
１１      チューブ
１３      第１関節
１４      第２関節
１５      第２ピボット（旋回軸）
１６      第１ピボット（旋回軸）
１７      片持ち板
１８      出口オリフィス
２０      貯槽
２１      プッシュボタン
２２      プッシュ板
２３      プッシュ板サポート
２６      第１ヒンジ片
２７      第２ヒンジ片、ヒンジ板
２９      突出部
３０      トラフ（窪み）
３３      処方室
３４      滴下器ボトル
３５      片持ち板開口部
３６      伸長部（拡大部）
５０      第１止め部材
５３      板ばね
５５      覆い
６１      第２止め部材（図３）、フランジ（図２ａ）
６２      カンチレバー伸長部
６４      圧迫区分
６６      チューブ内腔
６７      出口端
６８      保持スロット
７２      押込み板
７３      二重板ばね
７４      シュー（輪止め）
７５      トップアンビル
７６      押込み板脚部
７７      ブロック
７９      フリップ閉止
８１      上位廻り止め
８２      アンビル板
８３      ボトムアンビル
８５      サイド分枝部
８９      下位廻り止め
９３      ベントチューブ
９７      押込み板コネクター
１０１      ジェット流
１０２      出口オリフィス
１０３      ダイアフラム（隔膜）
１１７      液抜き穴
１２１      バルクヘッド
１２３      スパイク（大釘）
１２５      収納容器
１３０      区画室
１３１      バッグ
１３３      収納容器端部
１４２      飾りチューブ
１４５      チューブ溝
１４７      小ビーズ
１５０      螺旋状ベント通路
１５６      エルボー
１５７      ヘッド空間
１６３      螺旋状溝
１６５      パイプ
１６７      封止板
１７１      接続接触面
１７２      マガジン
１７３      機能ユニット
２００      ディスペンサーケース
２０１      ディスペンサーケース
２０２      滴下器ボトル
２１３      滑り板
２１５      拡大開口部
２１６      小開口部
２２２      レベラー
２２３      カム
３０２      圧迫区分
【図１ａ】
2014519894.tif 000003
【図１ｂ】
2014519894.tif 000004
【図１ｃ】
2014519894.tif 000005
【図２ａ】
2014519894.tif 000006
【図２ｂ】
2014519894.tif 000007
【図２ｃ】
2014519894.tif 000008
【図３】
2014519894.tif 000009
【図４】
2014519894.tif 000010
【図５ａ】
2014519894.tif 000011
【図５ｂ】
2014519894.tif 000012
【図６ａ】
2014519894.tif 000013
【図６ｂ】
2014519894.tif 000014
【図７】
2014519894.tif 000015
【図８】
2014519894.tif 000016
【図９】
2014519894.tif 000017
【図１０】
2014519894.tif 000018
【図１１】
2014519894.tif 000019
【図１２】
2014519894.tif 000020
【図１３】
2014519894.tif 000021
【図１４】
2014519894.tif 000022
【図１５ａ】
2014519894.tif 000023
【図１５ｂ】
2014519894.tif 000024
【図１５ｃ】
2014519894.tif 000025
【図１６ａ】
2014519894.tif 000026
【図１６ｂ】
2014519894.tif 000027
【図１７ａ】
2014519894.tif 000028
【図１７ｂ】
2014519894.tif 000029
【図１７ｃ】
2014519894.tif 000030
【図１８ａ】
2014519894.tif 000031
【図１８ｂ】
2014519894.tif 000032
【図１９ａ】
2014519894.tif 000033
【図１９ｂ】
2014519894.tif 000034
【図２０ａ】
2014519894.tif 000035
【図２０ｂ】
2014519894.tif 000036
【図２１】
2014519894.tif 000037
【国際調査報告】
2014519894.tif 000038